【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
シートを搬送する搬送ローラと、
前記搬送ローラによって搬送されたシートを積載する積載トレイと、
前記積載トレイに積載されたシートを排出するために前記搬送ローラのシート搬送方向に搬送するシート排出手段と、
前記シート排出手段よりシート搬送方向の下流側でシート搬送方向と交差するシート幅方向の整合を行う第１整合手段と、
前記シート排出手段よりシート搬送方向の上流側でシート幅方向の整合を行う第２整合手段と、を有し、
前記第１整合手段は、前記積載トレイに積載されたシートのシート搬送方向と平行な一端における、シート搬送方向の最下流位置の近傍と接触する第１整合面を備え、
前記第２整合手段は、前記積載トレイに積載されたシートの前記一端におけるシート搬送方向の最上流位置の近傍と接触する第２整合面を備えることを特徴とするシート処理装置。
【請求項２】
前記第１整合手段は、前記第一整合面と垂直であってシート下面を支持する支持面を有し、前記支持面がシート幅より外側に退避する退避位置と、前記第１整合面はシート幅より外側にあって、前記支持面がシートの下面を支える待機位置と、前記第１整合面でシート幅方向にシートを移動させてシート幅方向基準壁へ突き当てる整合位置へと移動可能であって、前記退避位置では前記第１整合手段と前記第２整合手段は離間しており、前記退避位置から前記待機位置へ移動する途中で前記第１整合手段が前記第２整合手段を押圧し、前記第１整合面と前記第２整合面とがほぼ同時にシートに接触することを特徴とする請求項１に記載のシート処理装置。
【請求項３】
前記第１整合面と前記第２整合面は、それぞれ前記第１および第２整合手段に対してシート幅方向の内側へ弾性的に付勢されており、前記第１整合手段と前記第２整合手段が、前記整合位置にある時に、シートに押されてシート幅方向の外側へ弾性的に移動可能であることを特徴とする請求項２に記載のシート処理装置。
【請求項４】
前記第２整合手段の前記第２整合面は、シート搬送方向の上流側から下流側にかけて高くなっていることを特徴とする請求項１乃至３のいずれか１項に記載のシート処理装置。
【請求項５】
前記第２整合手段は、前記積載トレイに球状部材によってスライド可能に支持されていることを特徴とする請求項１乃至４のいずれか１項に記載のシート処理装置。
【請求項６】
前記第１整合面と前記第２整合面とは、それぞれ前記第１および第２整合手段にシート幅方向の内側へ弾性部材によって付勢されて設けられており、前記第１整合面と前記第２整合面とがシートをシート幅方向基準壁へ突き当てて整合する整合位置に前記第１整合手段と前記第２整合部材とが位置する時、前記第１整合面と前記第２整合面はシートに押されてシート幅方向の外側へ前記弾性部材の付勢力に抗して移動可能であり、前記前記第１整合手段と前記第２整合手段とが前記整合位置にある時、前記第１整合面と前記シート幅方向基準壁との間隔が、前記第２整合面と前記シート幅方向基準壁との間隔よりも狭いことを特徴とする請求項１に記載のシート処理装置。
【請求項７】
前記第１整合面が弾性部材を介して前記第１整合手段に備えられていることを特徴とする請求項６に記載のシート処理装置。
【請求項８】
前記シート排出手段より下流側に、前記シート排出手段上方より垂れ下がり、所定の高さ以上のシートが積載されたことを検知する検知手段を備え、前記シート排出手段がシート排出ローラ対であり、前記第１整合手段と前記第２整合手段のいずれか一方の一部が前記シート排出ローラ対の軸の間をして他方に当接し、シート整合時以外は前記第１整合手段と前記第２整合手段が前記検知手段の可動領域内まで移動するのを防止する移動防止手段を有することを特徴とする請求項１乃至７のいずれか１項に記載のシート処理装置。
【請求項９】
前記移動防止手段が、前記シート排出ローラ対よりもシート搬送方向の上流側に設けられていることを特徴とする請求項８に記載のシート処理装置。
【請求項１０】
前記シート排出ローラ対より上流側かつ前記積載トレイの上方にシート搬送ガイドを備え、前記第１整合手段あるいは前記第２整合手段と、前記搬送ガイドと、が当接することで、前記第１整合手段と前記第２整合手段が前記満載検知手段の稼動領域内まで移動するのを防止する移動防止手段として機能するする請求項８または９に記載のシート処理装置。
【請求項１１】
前記第１整合手段と前記第２整合手段が一体であることを特徴とする請求項１乃至１０のいずれか１項に記載のシート処理装置。
【請求項１２】
シートに画像を形成する画像形成部と、画像形成されたシートを処理する請求項１乃至１１のいずれか１項に記載のシート処理装置と、を備えたことを特徴とする画像形成装置。
【手続補正２】
【補正対象書類名】明細書
【補正対象項目名】発明の名称
【補正方法】変更
【補正の内容】
【発明の名称】シート処理装置、及び画像形成装置
【手続補正３】
【補正対象書類名】明細書
【補正対象項目名】０００８
【補正方法】変更
【補正の内容】
【０００８】
本発明のシート処理装置は、シートを搬送する搬送ローラと、前記搬送ローラによって搬送されたシートを積載する積載トレイと、前記積載トレイに積載されたシートを排出するために前記搬送ローラのシート搬送方向に搬送するシート排出手段と、前記シート排出手段よりシート搬送方向の下流側でシート搬送方向と交差するシート幅方向の整合を行う第１整合手段と、前記シート排出手段よりシート搬送方向の上流側でシート幅方向の整合を行う第２整合手段と、を有し、前記第１整合手段は、前記積載トレイに積載されたシートのシート搬送方向と平行な一端における、シート搬送方向の最下流位置の近傍と接触する第１整合面を備え、前記第２整合手段は、前記積載トレイに積載されたシートの前記一端におけるシート搬送方向の最上流位置の近傍と接触する第２整合面を備えることを特徴とする。
【手続補正４】
【補正対象書類名】明細書
【補正対象項目名】００１８
【補正方法】変更
【補正の内容】
【００１８】
３３は搬送上ガイドであり、シート先端を排紙ローラ上７ａ、排紙ローラ下７ｂへガイドする。排紙ローラ上７ａは上下に移動可能であり、本図では離間した状態を示してある。この状態では、排紙ローラ上７ａはシートとは接触せず、シートの後端が中間ローラ２を抜けた位置で中間積載トレイ３上に停止する。点線７ａ’は前記排紙上ローラ７ａが下降してシートとニップする位置であり、綴じ処理が完了したシート束を中間積載トレイ３上から最終積載トレイ３０へ排紙する時や、シートに綴じ処理を行わない単純積載モードでは、この位置に下降して、シートを最終積載トレイ３０へ排紙積載する。
【手続補正５】
【補正対象書類名】明細書
【補正対象項目名】００５６
【補正方法】変更
【補正の内容】
【００５６】
第１整合面２１ａは、整合手段１ｒの整合面１ｒａより右側に突出していて、整合時にシートと接触し押圧するが、バネが縮むことで退避可能（スライド可能）であり、押し込みすぎによるループの発生や、キズの発生を防止する。
【手続補正６】
【補正対象書類名】明細書
【補正対象項目名】００８４
【補正方法】変更
【補正の内容】
【００８４】
図１７は満載検知機構の構成を説明するためにシート後処理装置Ａを上方から見た詳細図である。図中のハッチング部は第２整合部材８が通過する領域での、満載検知手段４０の断面を示している。移動防止手段である３３ａはリブ８ｃと当接する上ガイドの３３の当接面である。図に示すように、第１整合部材１ｒおよび第２整合部材８が退避位置にあるときは、リブ８ｃはシート幅方向に当接面３３ａよりも外側にある。
【手続補正７】
【補正対象書類名】図面
【補正対象項目名】図２１
【補正方法】変更
【補正の内容】
【図２１】
2006306518.tif 000001